(57)【要約】【課題】  農業用、支柱棒の組み立て作業は、時間と労費を費やし、一対の結束盤と開閉可能なU字型フックを備えた。結束ジョイントにより、煩わしい作業工程と無駄な行動を省き付随さを取り除き、一手に解決する事により能率化を図り短縮した簡単な結束ジョイントを提供する。【解決手段】取り付け簡単な結束ジョイントは、両側が開閉可能に付き支柱を挟みクリップにより固定し、しかも二段式スライド状により調整でき、異なる要素にも摘要可能。【選択図】  図２
0003161211.tif 000002
【実用新案登録請求の範囲】
【請求項１】
円形状の湾曲した連結盤を左右対称に連結ビスにより結合し、一対に形成された回転自在の連結盤に左右対称に鍵状の溝部分を設け、それぞれ、長さ調整可能なU字型フックを取り付け、両側開閉型、両フックを相互に併合させて係合する構成としたことを特徴とする結束ジョイント。        
【請求項２】
前記Ｕ字型フックは、湾曲して二段留め要素を含むことを特徴とする請求項１記載の結束ジョイント。
【請求項３】
前記U字型フックは、スライド状に左右移動でき上部に突起状を設け調整できる事を備えたことを特徴とする請求項1又は２記載の結束ジョイント。
【考案の詳細な説明】
【技術分野】
【０００１】
結束ジョイントに関するものである。
【背景技術】
【０００２】
従来小さい物を結束するには、縄  麻ひも  針金  結束バンド等一人で、こなすには、時間と労費が、かかり過ぎて、完成から終了時に、取り外しにも、かなりの手間であった。
【先行技術文献】
【特許文献】
【０００３】
【特許文献１】特開２００１−２４５５３４号公報
【考案の概要】
【考案が解決しようとする課題】
【０００４】
例えば、農作用の支柱同士や細い竹の交差箇所を組合せ等に針金状で結束するに、時間と労費を費やし、一度使うと再度使用    に期待が薄れ、結束ジョイントを使う事により、一人でも簡単に、取り付け容易で、両側に開閉可能な固定具と結束盤により、ワンタッチで、取り付け出来、しかも再度使用可能であり、農作物の支柱棒（棚）竹柵等の固定をする時に、煩わしい作業を一手に解決する事により作業を能率化する。
縦軸の支柱を並々立て、結束ジョイントを固定し、段差により横軸の支柱を固定し支柱軸の骨組みを組み立て、方向角度により結束する事で、複数の組合せにより強固の柵ができる。      
【課題を解決するための手段】
【０００５】
円形状の湾曲した連結盤をC型文字に左右対称の中心に、同一状の連結盤（固定板）を連結ビスで、一点を軸とし結合した回転可能の結束盤に両側の片が鍵状の溝部分を構成しU字型フック（固定具、クランプ）を挿し込み開閉可能な、連結盤湾曲部分に支柱を挟みクリップで絞り固定する事ができ、しかも二段式スライド状により、調整が効き上部に突起状のフックが付いて、異なる用途にも取り付け使用が出来、幅広く摘要があり、取り付け、外しが容易にでき農作業の時間を負う幅に短縮可能にし問題点を解決した。
【考案の効果】
【０００６】
本考案の結束ジョイントは、時間及び労費を短縮し煩わしい作業内容を簡易的に済ませ、再度使用可能で効率が良く家庭菜園や園芸用にも幅をもたし、ワンタッチで取り付け、片付け外しが、容易の為、クリップ式により力を入れず斜め方向に対しても、結束ジョイントの軸が回転する為に一方を補柵しながら、作業工程をする事を省き、従来は重複して再度結束の確認や結束をやり直しする手間を省いた。
【図面の簡単な説明】
【０００７】
【図１】柵の絵柄図及び支柱の種類
【図２】結束盤の正面図と斜視図及び断面図
【図３】構造図及び詳細図
【図４】断面図と正面図及び拡大図と実施例
【考案を実施するための形態】
【０００８】
土地の形態は、どんな条件にも問わず傾斜などでも使用可能の為農業用、菜園用の支柱棒を縦軸に並々に立て結束ジョイントを固定し、交差する横軸の異なる段差により横軸の支柱を固定し、骨組みを組み立て、構成する事により結束ジョイントを支柱や竹柵（棚）にも使用出来、支柱や竹の竿に開閉部分を合わせクリップで結束する。尚、結束ジョイントを支柱に固定し、成長に合わせ苗の幹や茎を円内に入れ、横転で苗の折れを抑え成長により使用できる。    
【実施例】
【０００９】
図１は、棚の種類、棟式  アーチ  ボクス  壁式柵  絵柄図
（１）〜（３）支柱の種類  三角  六角  丸型  竹  
支柱の棚部分を作る際にアーチ式が簡単で、上部のアーチは挿し込み、横軸で構成し植物の（うり科）食用採取補助柵で、支柱の種類もスベリ止めのイボイボなど、多種多様に販売されトマトのなす科や、ソラマメ、エンドウの豆科などが、多く採用されている。    図２は、正面図から見た結束盤で、湾曲状に左右両端に鍵状の切り込みを入れ、U字型のフック（針金状のダブルクイックバネ固定具）が入る箇所で、結束盤の中心箇所に穴が空いて凹凸部分の膨らみ箇所同士に連結ビスで、（鳩目）左右対称に連結し回転可能にした。
斜視図は、結束盤の凹凸箇所を（a）(b)左右対称にドリル又は圧縮切断により鍵状を調え連結ビスで、ジョイントしハンマーで頭を圧縮し平らに結合する。
断面図は、（a）（b）結合した結束盤にU字型フック（付属部品）を取り付け止め箇所により表示し各々部品を取り付け構成する。  
図３は、構造図は、基本の湾曲した結束盤の両側にフックを止め部品を取り付け  ７、湾曲したU字型フックの先端から８、筒状の突起が付いているスライド状のフックを挿し込み、弾力性の有る先端部分を結束盤の２に配置し、片方の６、U字型フックは、９のクリップ内に入れクリップは独立した輪（わっか）に６と９を合わせ１０の連結ビスをペンチで投入し結束した後、結束盤４に配置する。
詳細図は、クリップ部分の構成で、６の（わっか）内の間に９のaフックと９のb押さえフックを重ね１０の連結ビスを投入し形成する。通常はバネを入れるがフック部分のビス軸１０と７か８のU字型フックが、互いに引っ張り合う為、及ばず支え込み、梃子の原理を利用し９bの押さえ留めする。  
図４は、断面図で、U字型のフック（固定具  クランプ）でスライド状の部分を示し、針金状の強固と柔軟性を備えたダブルクリップ見たいなフックバネで、８の筒状と突起状のフック箇所で、二段構えの構造を有し、７は、先端の部分がフック状に出来、８のレールの役目と、調整を施すフックである。
正面図は、７と８の二段構造を示し７の先端部分の突起は、重なってジョイントする際に挿し使い様に上から押さえ留める。      
拡大図、設置したU字型フックをクリップで留め７と８のスライド箇所は、調整が出来８の膨らみ突起部分は、同じ形状になって隙間、間に７の突起部分が入り調整を促す、筒状は、８と結合して有り余裕が有る程度の７の筒状が斜めに成りストップ役にも成り、筒状と突起箇所でストップ役を果たし７のクリップを噛ました時、９のクリップで、８が７を押さえ込み閉じる。
尚、通常は、７の突起部分先端で、クリップを留める。
実施例、７の突起部分は、８の突起部分、間隔のどの位置にでも良く、弾力性と柔軟性を兼ね添え７のU字型フック上にスベリ止め膨らみを設け、８の筒状に差し支えが無い位に備え、ペンシルのキャプ部分と同じ要領で、斜め向き筒状に留めが入り９のクリップで、支柱と８を丸め押さえ込む様に、クリップで固定する。
【符号の説明】
【００１０】
１  結束盤
２  U字型フック止め箇所
３  結束盤ジョイントビス穴
４  U字型フック止め箇所
５  結束盤留め連結ビス
６  異なるU字型フック
７  U字型フック
８  スライド状フック
９  クリップ（９a９b）
１０  クリップ留め連結ビス
【図１】
0003161211.tif 000003
【図２】
0003161211.tif 000004
【図３】
0003161211.tif 000005
【図４】
0003161211.tif 000006